(57)【要約】【課題】液晶表示パネルの美観を損ねる静電対策を行うことなく、液晶表示カバーと液晶表示装置との間に充分な沿面距離を確保して静電気の伝搬を防止すること。【解決手段】液晶表示窓枠２３が形成されたパネル本体２５と、前記液晶表示窓枠に臨むように前記パネル本体の背面部に取り付けられる液晶表示装置２７と、前記パネル本体と液晶表示装置との間に位置して前記パネル本体に固定され、前記液晶表示装置の液晶表示部１１を被覆する液晶表示カバー２９とを備え、前記液晶表示装置の位置決めは、前記液晶表示カバーの背面に設けられている位置決めガイド４９によって行われるように構成されている。【選択図】図３
2011022484.tif 000002
【特許請求の範囲】
【請求項１】
液晶表示窓枠が形成されたパネル本体と、
前記液晶表示窓枠に臨むように前記パネル本体の背面部に取り付けられる液晶表示装置と、
前記パネル本体と液晶表示装置との間に位置して前記パネル本体に固定され、前記液晶表示装置の液晶表示部を被覆する液晶表示カバーとを備え、
前記液晶表示装置の位置決めは、前記液晶表示カバーの背面に設けられている位置決めガイドによって行われるように構成されていることを特徴とする液晶表示パネル。
【請求項２】
請求項１に記載の液晶表示パネルにおいて、
前記液晶表示装置の前記パネル本体に対する固定は、前記液晶表示カバーの背面に突設されている固定台を介して行われるように構成されていることを特徴とする液晶表示パネル。
【請求項３】
請求項２に記載の液晶表示パネルにおいて、
前記固定台の高さは、前記液晶表示装置の液晶表示部と前記液晶表示カバーの背面との間に隙間が形成されるように設定されていることを特徴とする液晶表示パネル。
【請求項４】
請求項１〜３のいずれか１項に記載の液晶表示パネルにおいて、
前記液晶表示カバーは、
前記パネル本体の液晶表示窓枠に嵌合する嵌合部と、
前記液晶表示枠よりも大きなカバー本体部とを備えており、
前記カバー本体部の背面のうち、前記液晶表示装置の液晶表示部が臨む可視エリアの外方スペースに前記位置決めガイドが設けられ、
前記位置決めガイドによって、前記パネル本体の液晶表示窓枠に対して、前記液晶表示装置の液晶表示部における可視エリアが外方に位置し、前記液晶表示装置の液晶表示部における動作エリアが内方に位置するように位置決めされることを特徴とする液晶表示パネル。
【請求項５】
液晶表示パネルを備えた記録装置であって、
前記液晶表示パネルは、請求項１〜４のいずれか１項に記載の液晶表示パネルであることを特徴とする記録装置。
【発明の詳細な説明】
【技術分野】
【０００１】
本発明は、液晶表示窓枠が形成されたパネル本体と、前記液晶表示窓枠に臨むように前記パネル本体の背面部に取り付けられる液晶表示装置と、前記パネル本体と液晶表示装置との間に介在されて、前記液晶表示装置の液晶表示部を被覆する液晶表示カバーとを備える液晶表示パネル及び該液晶表示パネルを備えた記録装置に関する。
【背景技術】
【０００２】
従来の液晶表示パネルは、特許文献１（特開２００８−３３０４号公報）に示すように、液晶表示装置の位置決め構造をパネル本体に対して設けていた。図９は従来例に係る液晶表示パネルの位置決め構造周辺を拡大して示す平面図（ａ）と、（ａ）図中のｂ−ｂ断面図（ｂ）である。液晶表示装置１０１とパネル本体１０３との間に設けられる液晶表示カバー１０５は、図９に示すように上記パネル本体１０３の位置決め構造１０７と干渉する部位については、その一部が切り欠かれ、上記位置決め構造１０７との干渉を回避する構造が採られていた。
【０００３】
しかし、上記のように液晶表示カバー１０５に切欠き部１０９を設けると、図９中、Ｃで示す静電防止のための沿面距離が短かくなってしまい、液晶表示装置１０１に静電気を帯電させて液晶表示装置１０１の破損を招く虞れが生ずる。そこで、従来は静電気の伝搬部に両面テープ等の静電対策部品１１１を貼付したり、液晶表示カバーを大きくしてパネル本体の前面側から取り付ける構造にし、液晶表示部分の外方に黒ベタ印刷を施すことによって静電防止対策と最低限の美観の維持とを図っていた。
【発明の概要】
【発明が解決しようとする課題】
【０００４】
しかしながら、上記静電対策部品の貼付作業は手間が掛かるし、材料費が嵩み、見映えも良くない。同様に、大きな液晶表示カバーをパネル本体の前面側から取り付ける構造も液晶表示パネルの美観を考えれば好ましくなく、上記液晶表示部分の外方部分に施す黒ベタ印刷の手間も余計にかかる。
【０００５】
そこで、本発明に係る幾つかの態様は、上記課題を解決することで、液晶表示パネルの美観を損ねる静電対策を行うことなく、液晶表示カバーと液晶表示装置との間に充分な沿面距離を確保して静電気の伝搬を防止することができ、液晶表示装置の確実な位置決めと固定とを図ることができる液晶表示パネル及び該液晶表示パネルを備えた記録装置を提供するものである。
【課題を解決するための手段】
【０００６】
上記課題を解決するために本発明の第１の態様に係る記録装置は、液晶表示窓枠が形成されたパネル本体と、前記液晶表示窓枠に臨むように前記パネル本体の背面部に取り付けられる液晶表示装置と、前記パネル本体と液晶表示装置との間に位置して前記パネル本体に固定され、前記液晶表示装置の液晶表示部を被覆する液晶表示カバーとを備え、前記液晶表示装置の位置決めは、前記液晶表示カバーの背面に設けられている位置決めガイドによって行われるように構成されていることを特徴とするものである。
【０００７】
本態様によれば、液晶表示装置の位置決めが液晶表示カバーの背面に設けられている位置決めガイドによって実行されているから、パネル本体に対して位置決めガイドを設けた場合に必要になる液晶表示カバーの切欠き部が不要になる。従って、前記切欠き部を設けない分、液晶表示カバーと液晶表示装置間の沿面距離が長くなるから、別途の静電対策部品を設けなくても静電気の液晶表示装置への伝搬を防止することができる。
【０００８】
本発明の第２の態様は、前記第１の態様の液晶表示パネルにおいて、前記液晶表示装置の前記パネル本体に対する固定は、前記液晶表示カバーの背面に突設されている固定台を介して行われるように構成されていることを特徴とするものである。
【０００９】
本態様によれば、液晶表示装置のパネル本体に対する固定が液晶表示カバーの背面に突設されている固定台を介して実行されているので、パネル本体に対して設けられている取付け用のボスに直接、液晶表示装置を固定する場合に従来においては必要であった液晶表示カバーの切欠き部が不要になる。従って、上記第１の態様と同様、切欠き部を設けない分、液晶表示カバーと液晶表示装置間の沿面距離が長くなるから、別途の静電対策部品を設けなくても静電気の液晶表示装置への伝搬を防止することができる。
【００１０】
本発明の第３の態様は、前記第２の態様の液晶表示パネルにおいて、前記固定台の高さは、前記液晶表示装置の液晶表示部と前記液晶表示カバーの背面との間に隙間が形成されるように設定されていることを特徴とするものである。
【００１１】
液晶表示装置の液晶表示部を液晶表示カバーの背面に密着させた構造では干渉縞が発生するので、前記液晶表示部と液晶表示カバーの背面との間には所望の隙間が形成され、この隙間によって前記干渉縞の発生を防止している。  
本態様によれば、前記第２の態様の作用効果に加えて、前記固定台の高さを所定の寸法に形成することによって、前記液晶表示部と液晶表示カバーの背面との間の必要な隙間を簡単に設定することができ、前記干渉縞の問題を容易に防止することができる。
【００１２】
本発明の第４の態様は、前記第１の態様から第３の態様のいずれか１つの態様の液晶表示パネルにおいて、前記液晶表示カバーは、前記パネル本体の液晶表示窓枠に嵌合する嵌合部と、前記液晶表示枠よりも大きなカバー本体部とを備えており、前記カバー本体部の背面のうち、前記液晶表示装置の液晶表示部が臨む可視エリアの外方スペースに前記位置決めガイドが設けられ、前記位置決めガイドによって、前記パネル本体の液晶表示窓枠に対して、前記液晶表示装置の液晶表示部における可視エリアが外方に位置し、前記液晶表示装置の液晶表示部における動作エリアが内方に位置するように位置決めされることを特徴とするものである。
【００１３】
本態様によれば、前記第１の態様から第３の態様のいずれか１つの態様の作用効果に加えて、液晶表示カバーの構造のみによってパネル本体に対する液晶表示カバーの位置決めと、液晶表示カバーに対する液晶表示装置の位置決めを同時に実行することができ、液晶表示装置の液晶表示部をパネル本体の液晶表示窓枠に対する所定の位置に正確に位置合わせして取り付けることが可能になる。
【００１４】
本発明の第５の態様に係る記録装置は、液晶表示パネルを備えた記録装置であって、前記液晶表示パネルは、前記第１の態様から第６の態様のいずれか１つの態様の液晶表示パネルであることを特徴とするものである。
【００１５】
本態様によれば、液晶表示パネルの美観を損ねる静電対策を行うことなく、液晶表示カバーと液晶表示装置との間の充分な沿面距離を確保して静電気の伝搬を防止することができ、液晶表示装置の確実な位置決めと固定を図ることができる液晶表示パネルを備えた記録装置が提供できるようになる。
【図面の簡単な説明】
【００１６】
【図１】本発明の実施例に係る液晶表示パネルを装着したインクジェットプリンターの外観を示す斜視図。
【図２】本発明の実施例に係る液晶表示パネル示す斜視図。
【図３】本発明の実施例に係る液晶表示パネルを分解した状態を示す背面側からの斜視図。
【図４】本発明の実施例に係る液晶表示パネルの組立て状態を示す背面側からの斜視図。
【図５】本発明の実施例に係る液晶表示パネルを示す背面図。
【図６】本発明の実施例に係る液晶表示パネルのパネル本体に形成した液晶表示窓枠と、液晶表示装置の液晶表示部との位置関係を示す正面図。
【図７】本発明の実施例に係る液晶表示パネルを示す図５中のＡ−Ａ線における断面図。
【図８】本発明の実施例に係る液晶表示パネルの位置決めガイド周辺を拡大して示す平面図（ａ）と、（ａ）図中のｂ−ｂ断面図（ｂ）。
【図９】従来例に係る液晶表示パネルの位置決め構造周辺を拡大して示す平面図（ａ）と、（ａ）図中のｂ−ｂ断面図（ｂ）。
【発明を実施するための形態】
【００１７】
以下、本発明に係る液晶表示パネル及び該液晶表示パネルを備えた記録装置の実施の形態について説明する。最初に本発明の記録装置を実施するための形態として図１に示すようなインクジェットプリンター１を採り上げて、その概略を説明する。
【００１８】
図示のインクジェットプリンター１は、スキャナー３とプリンター４とが一体になった多機能タイプの複合型のインクジェットプリンターである。  
また、このインクジェットプリンター１は、不使用時に図示しない給送用開口を閉塞する給送用開口カバーとして機能し、使用時に拡開して被記録材（以下、用紙ともいう）をセットする時の保持部材として機能する被記録材サポート（以下、ペーパーサポートともいう）７を備える背面給送式のインクジェットプリンターである。
【００１９】
インクジェットプリンター１のハウジング５の上面部６には、フラットベッド型のスキャナー３と、該スキャナー３の後部側に図示しない給送用開口９を覆っている一例として回動開閉式のペーパーサポート７とが設けられている。
【００２０】
また、上記ペーパーサポート７によって覆われている給送用開口直下のハウジング５の内部には、ペーパーサポート７にセットされた用紙を最上位のものから順番に１枚ずつピックアップして搬送方向下流の記録実行部に向けて自動的に給送する図示しない自動給送装置が設けられている。
【００２１】
ハウジング５の前面部８の上部には、一例としてチルト式の後述する本発明の液晶表示パネル２１が設けられている。該液晶表示パネル２１の外観に現れる表面の中央部に液晶ディスプレイによって構成されている液晶表示部１１が臨むように設けられている。また、上記液晶表示部１１の左右には、各部の操作指令を司る複数の操作ボタン１３、１３、…が設けられている。  
上記液晶表示パネル２１の下方のハウジング５における前面部８の中央部には、種類の違うメモリーカード等の外部メディアを挿入するための開口部１５が複数設けられている。
【００２２】
また、上記開口部１５の下方のハウジング５における前面部８の下部には、記録実行後の用紙を排出する図示しない排出用開口と、当該排出用開口を覆う排出用開口カバーを兼ねた回動自在の排出スタッカー１７が設けられている。
【００２３】
そして、このようなインクジェットプリンター１に対して適用される液晶表示パネル２１の構成が本発明の特徴的構成になっており、以下、上記液晶表示パネル２１の構成とその作動態様について具体的に説明する。
【００２４】
［実施例］
液晶表示パネル２１は、液晶表示窓枠２３が形成されたパネル本体２５と、上記液晶表示窓枠２３に臨むように上記パネル本体２５の背面部に取り付けられる液晶表示装置２７と、上記パネル本体２５と液晶表示装置２７との間に介在されて、上記液晶表示装置２７の液晶表示部１１を被覆する液晶表示カバー２９とを備えることによって基本的に構成されている。
【００２５】
パネル本体２５は、図１、図２に示すように、幅方向Ｘに長い正面視矩形状の部材である。パネル本体２５の前面板３１には、一例として中央部に正面視矩形状の上記液晶表示窓枠２３が大きく開口されており、当該液晶表示窓枠２３の左右に弾性片によって支持された複数の操作ボタン１３がパネル本体２５と一体に成形されている。
【００２６】
図３、図４、図５に示すように、パネル本体２５の前面板３１の背面には、図示しないボタンスイッチやパネル本体２５の背面側に付く図示しないロアパネル等を取り付けるための複数本の取付けボス３３、３３、…が設けられている。  
また、上記液晶表示窓枠２３の一例として上縁と下縁における中央の近傍位置には、後述する液晶表示装置２７及び液晶表示カバー２９をパネル本体２５に固定するための固定ボス３５が一例として２本、パネル本体２５の前面板３１の背面に設けられている。
【００２７】
液晶表示装置２７は、図６に示すように、可視エリア（Ｖｉｅｗｉｎｇ  ａｒｅａ）３７と動作エリア（Ａｃｔｉｖｅ  ａｒｅａ）３９とを備える液晶表示部１１と、図３、図４、図５に示すように、該液晶表示部１１を支持する支持フレーム４１とを備えることによって基本的に構成されている。また、上記液晶表示部１１は、ＬＣＤ本体４３と、ＬＣＤ本体４３の背面に配置されるＬＣＤ基板４５と、ＬＣＤ基板４５から延びるＦＦＣ（フレキシブルフラットケーブル）４７とを備えることによって構成されている。
【００２８】
また、上記支持フレーム４１は、後述する液晶表示カバー２９の４ヶ所のコーナー部に設けられている４つの位置決めガイド４９、４９、４９、４９によって位置決めされる４つの位置決めコーナー部５１、５１、５１、５１を備える矩形枠状の支持部材である。  
【００２９】
また、上記支持フレーム４１には、後述する液晶表示カバー２９によって位置決めされた状態で上記パネル本体２５の固定ボス３５、３５と対向する位置に上下方向Ｚに張り出す一例として矩形平板状の２つの固定部５３、５３が設けられている。尚、上記各固定部５３には、上記固定ボス３５と同一軸心の取付け穴５５が設けられている。
【００３０】
液晶表示カバー２９は、視認性に優れる無色透明または有色透明の合成樹脂材料によって成形される矩形平板状の部材である。  
具体的には、液晶表示カバー２９は、上記パネル本体２５の液晶表示窓枠２３に嵌合する厚肉の嵌合部５７と、上記液晶表示窓枠２３よりも大きな薄肉のカバー本体部５９とを備えており、このうちカバー本体部５９の背面に本発明の特徴的構成である位置決めガイド４９と固定台６１とが設けられている。
【００３１】
上記位置決めガイド４９と固定台６１は、上記カバー本体部５９の背面のうち、上記液晶表示装置２７の液晶表示部１１が臨む可視エリア３７の外方スペースに設けられている。  
このうち、位置決めガイド４９は、カバー本体部５９の４つのコーナー部に設けられており、上述したように液晶表示装置２７の支持フレーム４１における４つの位置決めコーナー部５１、５１、５１、５１に係合して液晶表示装置２７の位置決めを行う役割を有している。
【００３２】
位置決めガイド４９は、上記位置決めコーナー部５１の交差する外方の２面を同時に支持できるよう、平板状の２枚の突起をカバー本体部５９のコーナー部で交差させて一体化したＬ字形断面の所定高さの突起によって構成されている。
【００３３】
一方、固定台６１は、上記パネル本体２５の背面から立ち上げられている２本の固定ボス３５、３５と対応する位置に設けられており、上記カバー本体部５９の背面から垂直に立ち上げられている矩形平板状の立上がり部６３と、当該立上がり部６３の上端から上下方向Ｚに向けて水平に張り出している同じく矩形平板状の張出し部６５とを一体に備えることによって構成されている。
【００３４】
また、上記張出し部６５には、上記パネル本体２５の背面から立ち上げられている２本の固定ボス３５、３５と軸心を一致させた位置に固定穴６７が設けられている。そして、図３、図４に示すように、上記パネル本体２５の固定ボス３５の上に液晶表示カバー２９の上記張出し部６５を位置させ、上記張出し部６５の上に上記液晶表示装置２７の支持フレーム４１に対して設けられている固定部５３を位置させた状態で２本の固定ネジ６９、６９によって上記取付け穴５５と固定穴６７を貫通させる。更に、これらを共締めすることで液晶表示装置２７と液晶表示カバー２９のパネル本体２５に対する固定が図られている。
【００３５】
また、上記固定台６１の高さＨは、上記液晶表示装置２７の液晶表示部１１と上記液晶表示カバー２９の背面との間に干渉縞防止のために必要な隙間Ｓが形成される寸法に設定されている。
【００３６】
また、上記液晶表示装置２７の上記パネル本体２５に対する位置決めと固定は、上記パネル本体２５に形成されている液晶表示窓枠２３に対して、背面側から嵌合されて位置決めされる上記４つの位置決めガイド４９、４９、４９、４９と、２つの固定台６１、６１とを備える液晶表示カバー２９を介して、上記液晶表示装置２７と液晶表示カバー２９を一体化した状態で実行される。
【００３７】
また、図６に示すように、上記４つの位置決めガイド４９、４９、４９、４９によって、上記パネル本体２５の液晶表示窓枠２３に対して、上記液晶表示部１１における可視エリア３７が外方に位置し、上記液晶表示部１１における動作エリア３９が内方に位置するように位置決めされている。  
【００３８】
そして、図８に示すように、このような構成の液晶表示パネル２１を採用した場合には、パネル本体１０３に対して位置決め構造１０７を設けていた従来例において必要であった図９に示す切欠き部１０９は不要であり、当該切欠き部１０９を形成しない分、本実施例に係る液晶表示パネル２１の方が沿面距離Ｃが長くなる。
【００３９】
また、本実施例の場合には、上記沿面距離Ｃが長くなったことに伴なって静電気のパネル本体２５側から液晶表示装置２７側への伝搬が防止されているから、図９に示す両面テープ等の静電対策部品１１１の貼付や液晶表示カバー２９を大きくしてパネル本体２５の前面側から取り付ける構造を採用した場合に必要になる液晶表示部分外方の黒ベタ印刷も不要になる。
【００４０】
〔他の実施例〕
本発明に係る液晶表示パネル２１及び該液晶表示パネル２１を備えた記録装置１は、以上述べたような構成を基本とするものであるが、本願発明の要旨を逸脱しない範囲内の部分的構成の変更や省略等を行うことも勿論可能である。
【００４１】
例えば、液晶表示カバーのカバー本体部５９の背面に設けた位置決めガイド４９と固定台６１の形状や個数あるいは配置は、上記実施例のものに限らず、液晶表示部１１の形状や大きさ等に対応して適宜、変更することが可能である。
【００４２】
また、位置決めガイド４９と位置決めコーナー部５１との係合による位置決め構造の他、位置決め穴と位置決めピンとによる嵌合による位置決め構造を採用することも可能である。
【００４３】
この他、本発明の液晶表示パネル２１はインクジェットプリンター１に限らず、レーザープリンター、ファクシミリ、複写機等の他の記録装置や液晶表示パネルを搭載している他の種々の電子機器や装置等に適用可能である。
【符号の説明】
【００４４】
１  インクジェットプリンター（記録装置）、  ３  スキャナー、
４  プリンター、                           ５  ハウジング、
６  上面部、                               ７  ペーパーサポート、
８  前面部、                               １１  液晶表示部、
１３  操作ボタン、                         １５  開口部、
１７  排出スタッカー、                     ２１  液晶表示パネル、
２３  液晶表示窓枠、                       ２５  パネル本体、
２７  液晶表示装置、
２９  液晶表示カバー、                     ３１  前面板、
３３  取付けボス、                         ３５  固定ボス、
３７  可視エリア、                         ３９  動作エリア、
４１  支持フレーム、                       ４３  ＬＣＤ本体、
４５  ＬＣＤ基板、                         ４７  ＦＦＣ、
４９  位置決めガイド、                     ５１  位置決めコーナー部、
５３  固定部、                             ５５  取付け穴、
５７  嵌合部、                             ５９  カバー本体部、
６１  固定台、                             ６３  立上がり部、
６５  張出し部 、                           ６７  固定穴、
６９  固定ネジ、                           Ｘ  幅方向、
Ｚ  上下方向、                             Ｃ  沿面距離、
Ｓ  隙間、                                 Ｈ  高さ
【先行技術文献】
【特許文献】
【００４５】
【特許文献１】特開２００８−３３０４号公報
【図１】
2011022484.tif 000003
【図２】
2011022484.tif 000004
【図３】
2011022484.tif 000005
【図４】
2011022484.tif 000006
【図５】
2011022484.tif 000007
【図６】
2011022484.tif 000008
【図７】
2011022484.tif 000009
【図８】
2011022484.tif 000010
【図９】
2011022484.tif 000011